【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
少なくとも一つの電源からの電流の第１サブセットを離散量で切り換えて、第１の電流をエレクトリカルバスに提供するように操作可能な少なくとも一つの電源スイッチと、
前記少なくとも１つの電源からの電流の第２サブセットをアナログ量で供給して、第２の電流を前記エレクトリカルバスに提供するように操作可能な少なくとも一つの電流可変スイッチと、
制御装置であって、
前記少なくとも一つの電源スイッチと前記少なくとも一つの電流可変スイッチとを制御して、前記離散量と前記アナログ量とを制御して、前記エレクトリカルバス上の負荷に前記第１電流と第２電流の和をほぼ一致させるように制御し、
前記少なくとも１つの電源スイッチが、前記エレクトリカルバスに電流を提供しているか否かを示すオンまたはオフの信号を有する、前記少なくとも１つの電源スイッチの状態信号を監視し、
アナログＰＷＭ誤差信号を前記状態信号に基づいて生成し、
前記アナログ量を前記アナログＰＷＭ誤差信号に基づいて制御する、ように操作可能な制御装置と、
を備えたシーケンシャルシャントレギュレータ。
【請求項２】
前記電流をアースに分路するように前記少なくとも一つの電源スイッチがさらに操作可能な、請求項１に記載のシーケンシャルシャントレギュレータ。
【請求項３】
前記少なくとも一つの電流可変スイッチが少なくとも一つの可変電圧コンバータを備えた、請求項１に記載のシーケンシャルシャントレギュレータ。
【請求項４】
前記少なくとも一つの可変電圧コンバータが少なくとも一つの可変昇圧コンバータを備えた、請求項３に記載のシーケンシャルシャントレギュレータ。
【請求項５】
前記少なくとも一つの電源及び前記エレクトリカルバスをさらに備えた、請求項１に記載のシーケンシャルシャントレギュレータ。
【請求項６】
前記少なくとも一つの電源が少なくとも一つの太陽電池パネルを備えた、請求項１に記載のシーケンシャルシャントレギュレータ。
【請求項７】
シーケンシャルシャントレギュレーション方法であって、
第１の電流を少なくとも一つの電源からエレクトリカルバスに切り替える少なくとも一つの電源スイッチを制御することと、
制御された電流を前記少なくとも一つの電源から前記エレクトリカルバスに供給するように操作可能な少なくとも一つの電流可変スイッチを制御することと、
前記少なくとも１つの電源が、複数の電流源を有し、該少なくとも１つの電源から複数の電流を受け取ることと、
前記複数電流の第１のサブセットを離散量で切り換えて第１の電流を前記エレクトリカルバスに提供することと、
前記複数電流の第２のサブセットをアナログ量で供給して、第２の電流を前記エレクトリカルバスに提供することと、
前記離散量と前記アナログ量とを制御して、前記エレクトリカルバス上の負荷に前記第１及び第２の電流の和をほぼ一致させることと、
前記少なくとも１つの電源スイッチが、前記エレクトリカルバスに電流を提供しているか否かを示すオンまたはオフの信号を有する、前記少なくとも１つの電源スイッチの状態信号を監視することと、
アナログＰＷＭ誤差信号を前記状態信号に基づいて生成することと、
前記アナログ量を前記アナログＰＷＭ誤差信号に基づいて制御することと、
を含む方法。
【請求項８】
前記第一の電流をアースに切り替えるように前記少なくとも一つの電源スイッチがさらに操作可能であり、前記少なくとも一つの電流可変スイッチが少なくとも一つの可変電圧コンバータを備えており、前記少なくとも一つの可変電圧コンバータが少なくとも一つの可変昇圧コンバータを備えている、請求項７に記載の方法。
【請求項９】
アナログ充填制御によるシーケンシャルシャントレギュレータを使用する電気システムの調整方法であって、
複数の電流源から複数の電流を受け取ることと、
第一の電流をエレクトリカルバスに供給するため、前記電流の第一サブセットを離散量で切り替えることと、
第二の電流を前記エレクトリカルバスに供給するため、前記電流の第二サブセットをアナログ量で供給することと、
前記第一の電流と前記第二の電流の和が前記エレクトリカルバス上の負荷とほぼ一致するように、前記離散量と前記アナログ量を制御することと
前記少なくとも１つの電源スイッチが、前記エレクトリカルバスに電流を提供しているか否かを示すオンまたはオフの信号を有する、前記少なくとも１つの電源スイッチの状態信号を監視することと、
アナログＰＷＭ誤差信号を前記状態信号に基づいて生成することと、
前記アナログ量を前記アナログＰＷＭ誤差信号に基づいて制御することと、
を含む方法。
【請求項１０】
電流源が少なくとも一つの太陽電池パネルを含み、
前記電流の前記第二サブセットをアナログ量で供給するため、電圧コンバータを制御するステップをさらに含む、
請求項９に記載の方法。
【手続補正２】
【補正対象書類名】明細書
【補正対象項目名】００７１
【補正方法】変更
【補正の内容】
【００７１】
少なくとも一つのスイッチを使用して少なくとも一つの電流をアースに分路することをさらに含む実施形態。
また、本願は以下に記載する態様を含む。
（態様１）
電流を少なくとも一つの電源からエレクトリカルバスに切り替えるように操作可能な少なくとも一つの電源スイッチと、
制御された電流を前記少なくとも一つの電源から前記エレクトリカルバスに供給するように操作可能な少なくとも一つの電流可変スイッチと、
前記少なくとも一つの電源スイッチと前記少なくとも一つの電流可変スイッチとを制御するように操作可能な制御装置と
を備えたシーケンシャルシャントレギュレータ。
（態様２）
前記電流をアースに分路するように前記少なくとも一つの電源スイッチがさらに操作可能な、態様１に記載のシーケンシャルシャントレギュレータ。
（態様３）
前記少なくとも一つの電流可変スイッチが少なくとも一つの可変電圧コンバータを備えた、態様１に記載のシーケンシャルシャントレギュレータ。
（態様４）
前記少なくとも一つの可変電圧コンバータが少なくとも一つの可変昇圧コンバータを備えた、態様３に記載のシーケンシャルシャントレギュレータ。
（態様５）
前記少なくとも一つの電源及び前記エレクトリカルバスをさらに備えた、態様１に記載のシーケンシャルシャントレギュレータ。
（態様６）
前記少なくとも一つの電源が少なくとも一つの太陽電池パネルを備えた、態様１に記載のシーケンシャルシャントレギュレータ。
（態様７）
シーケンシャルシャントレギュレーション方法であって、
第一の電流を少なくとも一つの電源からエレクトリカルバスに切り替える少なくとも一つの電源スイッチを制御するステップと、
制御された電流を前記少なくとも一つの電源から前記エレクトリカルバスに供給するように操作可能な少なくとも一つの電流可変スイッチを制御するステップと
を含む方法。
（態様８）
複数の電流源から複数の電流を受け取るステップと、
前記第一の電流を前記エレクトリカルバスに供給するため、前記電流の第一サブセットを離散量で切り替えるステップと、
第二の電流を前記エレクトリカルバスに供給するため、前記電流の第二サブセットをアナログ量で供給するステップと、
前記第一の電流と前記第二の電流の合計が前記エレクトリカルバス上の負荷とほぼ一致するように、前記離散量と前記アナログ量を制御するステップと
をさらに含む、態様７に記載の方法。
（態様９）
前記第一の電流をアースに切り替えるように前記少なくとも一つの電源スイッチがさらに操作可能であり、前記少なくとも一つの電流可変スイッチが少なくとも一つの可変電圧コンバータを備えており、前記少なくとも一つの可変電圧コンバータが少なくとも一つの可変昇圧コンバータを備えている、態様７に記載の方法。
（態様１０）
アナログ充填制御によるシーケンシャルシャントレギュレータを使用する電気システムの調整方法であって、
複数の電流源から複数の電流を受け取るステップと、
第一の電流をエレクトリカルバスに供給するため、前記電流の第一サブセットを離散量で切り替えるステップと、
第二の電流を前記エレクトリカルバスに供給するため、前記電流の第二サブセットをアナログ量で供給するステップと、
前記第一の電流と前記第二の電流の合計が前記エレクトリカルバス上の負荷とほぼ一致するように、前記離散量と前記アナログ量を制御するステップと
を含む方法。
（態様１１）
電流源が少なくとも一つの太陽電池パネルを含み、
前記電流の前記第二サブセットをアナログ量で供給するため、電圧コンバータを制御するステップをさらに含む、
態様１０に記載の方法。